(57)【要約】【課題】  放送開始時刻の変更にも、ユーザーに負担をかけずに対応できる携帯電話機を用いた録画予約を実現すること。【解決手段】  録画予約プログラムは、携帯電話機１の処理部５に、番組サーバー２に番組データを要求し、送信された番組データを受信する機能と、上記番組データのうち操作部４を介して入力された選択信号によって選択された予約番組の番組特定情報、放送開始予定時刻および放送終了予定時刻を特定し、これらを記憶するとともに録画装置３へ送信する機能と、現時刻から予約番組の放送開始予定時刻までの時間が予め設定した設定時間になったとき、上記番組サーバーに上記予約番組の番組データを要求し、番組サーバーから返信された番組データと記憶している放送開始予定時刻とを比較して放送開始予定時刻の変更の有無を判定し、変更があった場合に番組特定情報とともに変更された放送開始予定時刻を録画装置へ送信する機能とを、実現させる。【選択図】  図１
2005057557.tif 000002
【特許請求の範囲】
【請求項１】
操作部および処理部を有する携帯電話機の処理部に、番組データを記憶した番組サーバーに対して番組データを要求する信号を送信する機能と、上記要求信号に応じて上記番組サーバーから送信された番組データを受信する機能と、受信した番組データのうち上記操作部を介して入力された選択信号によって選択された予約番組の番組特定情報、放送開始予定時刻および放送終了予定時刻を特定する機能と、これら予約番組の番組特定情報、放送開始予定時刻および放送終了予定時刻を記憶する機能と、上記番組特定情報、放送開始予定時刻および放送終了予定時刻を録画装置へ送信する機能と、現時刻から特定の予約番組の放送開始予定時刻までの時間が予め設定した設定時間になったとき、上記予約番組の番組特定情報を基にして上記番組サーバーに番組データを要求する要求信号を送信する機能と、この要求信号に基づいて番組サーバーから返信される番組データを受信する機能と、受信した番組データと記憶している放送開始予定時刻とを比較して放送開始予定時刻の変更の有無を判定する機能と、変更があった場合に番組特定情報とともに変更された放送開始予定時刻を録画装置へ送信する機能とを、実現させるための録画予約プログラム。
【請求項２】
携帯電話機の処理部に、変更された予約番組の放送開始予定時刻を記憶する機能と、現時刻から特定の予約番組の上記更新された放送開始予定時刻までの時間が予め設定した設定時間になったとき、上記予約番組の番組特定情報を基にして上記番組サーバーに番組データを要求する要求信号を送信する機能と、この要求信号に基づいて番組サーバーから返信される番組データを受信する機能と、受信した番組データと記憶している放送終了予定時刻とを比較して放送開始予定時刻の変更の有無を判定する機能と、変更があった場合に番組特定情報とともに変更された放送開始予定時刻を録画装置へ送信する機能とを、実現させるための請求項１に記載の録画予約プログラム。
【請求項３】
携帯電話機の処理部に、現時刻から予約番組の放送終了予定時刻までの時間が予め設定した設定時間になったとき、上記予約番組の番組特定情報を基にして番組サーバーに番組データを要求する要求信号を送信する機能と、この要求信号に基づいて上記番組サーバーから返信される番組データを受信する機能と、受信した番組データと記憶している番組データとを比較して放送終了予定時刻の変更の有無を判定する機能と、変更があった場合に番組特定情報とともに変更された放送終了予定時刻を録画装置へ送信する機能とを実現させるための請求項１または２に記載の録画予約プログラム。
【請求項４】
携帯電話機の処理部に、変更された予約番組の放送終了予定時刻を記憶する機能と、現時刻から特定の予約番組の上記更新された放送終了予定時刻までの時間が予め設定した設定時間になったとき、上記予約番組の番組特定情報を基にして上記番組サーバーに番組データを要求する要求信号を送信する機能と、この要求信号に基づいて番組サーバーから返信される番組データを受信する機能と、受信した番組データと記憶している番組データとを比較して放送終了予定時刻の変更の有無を判定する機能と、変更があった場合に番組特定情報とともに変更された放送開始予定時刻を録画装置へ送信する機能とを、実現させるための請求項１〜３のいずれか１に記載の録画予約プログラム。
【請求項５】
携帯電話機の処理部に、番組サーバーへ番組データを要求する番組要求信号とともに時刻データを要求する時刻要求信号を送信する機能と、上記時刻要求信号に基づいて番組サーバーから送信された時刻データを受信する機能と、受信した時刻データに基づいて自身の時計を調整する機能と、録画装置へ予約番組の番組データを送信する際に、時刻データを送信する機能とを、実現させるための請求項１〜４のいずれか１に記載の録画予約プログラム。
【請求項６】
請求項１〜５のいずれかに記載の録画予約プログラムを記憶した携帯電話機と、この携帯電話機との間で通信可能であって、番組の番組特定情報に対応させた放送開始予定時刻および放送終了予定時刻を含む番組データを記憶した番組サーバーと、上記携帯電話機と通信可能な録画装置とを備え、上記番組サーバーは、携帯電話機からの番組要求信号を受信し、その要求信号に対応する番組データを上記携帯電話機に返信する機能を備え、上記録画装置は、携帯電話機から送信された番組情報を受信する機能と、受信した同一の番組特定情報に対応するする放送開始予定時刻のうち常に最新の番組データに基づいて録画予約情報を設定する機能と、設定した録画予約情報に基づいて番組の録画を行う機能とを備えた録画予約システム。
【発明の詳細な説明】
【技術分野】
【０００１】
この発明は、携帯電話機を用いて放送番組の録画を予約するためのプログラムおよびそのプログラムを用いた録画予約システムに関するものである。
【背景技術】
【０００２】
携帯電話の普及率が高まるとともに、携帯電話に様々な機能が加わって、携帯電話を用いる場面が増えている。そのようななかで、携帯電話機を用いて、テレビ番組の録画予約を行うシステムがある。
この録画予約システムでは、自宅に設置されている録画装置に対して、携帯電話機が通信を介して録画予約の設定を行うというものである。
【０００３】
このような録画予約を行うためには、上記録画装置は、電子番組表を配信する番組サーバーから電子番組表を取得する機能を備えるとともに、携帯電話機から送信された信号に従って録画予約設定をする機能を備えている必要がある。
また、携帯電話機は、ブラウザ機能を備えていて、上記録画装置が取得した番組表を自身に表示させることができる。そして、携帯電話機から、上記電子番組表内で番組を特定して、その特定した番組の録画予約の指示信号を、録画装置に対して出力するようにしている。
【特許文献１】特開２００１−３５９０３０号公報
【特許文献２】特開２００３−１９９０８２号公報
【発明の開示】
【発明が解決しようとする課題】
【０００４】
上記のように、携帯電話機を用いることによって、外出先からでも自宅に設置してある録画装置に録画予約の設定を行うことができる。
しかし、録画予約を設定した番組の開始時刻や終了時刻が変更になることがある。例えば、野球中継の場合、試合が長引くと放送時間も延長されることがある。このように延長された番組は、終了時刻が予定よりも遅くなるし、この番組の後の番組は、上記野球中継の終了まで、放送開始が遅れることになる。そのため、上記野球中継の後の番組を、野球中継の放送延長が決まる前の番組表に基づいて録画予約をした場合には、録画したい番組が開始する前から録画が始まってしまう。一方、録画終了時刻も、延長前の放送終了予定時刻で設定することになるので、録画開始が、早くなるだけでなく、録画したい番組の放送途中に録画が終了してしまうことになる。つまり、録画予約した番組が途中までしか録画できていないということになる。
【０００５】
上記のように、一度、録画装置に録画予約を設定した番組の開始時刻や終了時刻が変更になった場合にも、番組途中で録画が終わってしまうようなことがないようにするためには、ユーザーが、録画予約の再設定をしなければならない。そのために、ユーザーは、放送時間の変更を知る必要があり、携帯電話機によって、上記録画装置を介して番組データを表示させ放送時刻の変更を確認しなければならない。
【０００６】
また、番組サーバーに直接アクセスして番組データを取得する機能を備えた携帯電話機もあるが、そのような携帯電話機を用いる場合でも、ユーザーが、上記番組サーバーにアクセスして、放送予定の変更を確認しなければならない。
なお、放送時間が変更される場合には、予め、放送局から、上記番組サーバーへ、更新された番組表のデータが送信されるようにしている。
【０００７】
このように、ユーザーが携帯電話機を操作して、一旦、録画予約を設定した番組について、その放送時間が、変更になっていないかどうかを確認しなければならないのは、面倒である。しかも、放送時間の変更は、放送開始予定時刻に近づいてから行われることが多いが、絶対に録画を失敗したくない場合には、頻繁に番組データを確認することになる。
一方で、録画予約をするということは、放送時間帯に視聴することができない場合がほとんどで、その時間帯に他の用事があることが多い。従って、そのような時に、頻繁に番組データを確認することは煩わしいし、確認し損なうことも考えられる。そして、放送時間の変更を確認し損なって、そのまま録画してしまった場合には、見たい番組の録画が途中で終わってしまったり、他の番組を録画してしまったりすることになる。
【０００８】
この発明の課題は、携帯電話機を用いて、放送番組の録画を予約できるようにするとともに、放送開始時刻の変更にも、ユーザーを煩わせずに、確実に対応できるようにすることである。
【課題を解決するための手段】
【０００９】
第１の発明の録画予約プログラムは、操作部および処理部を有する携帯電話機の処理部に、番組データを記憶した番組サーバーに対して番組データを要求する信号を送信する機能と、上記要求信号に応じて上記番組サーバーから送信された番組データを受信する機能と、受信した番組データのうち上記操作部を介して入力された選択信号によって選択された予約番組の番組特定情報、放送開始予定時刻および放送終了予定時刻を特定する機能と、これら予約番組の番組特定情報、放送開始予定時刻および放送終了予定時刻を記憶する機能と、上記番組特定情報、放送開始予定時刻および放送終了予定時刻を録画装置へ送信する機能と、現時刻から特定の予約番組の放送開始予定時刻までの時間が予め設定した設定時間になったとき、上記予約番組の番組特定情報を基にして上記番組サーバーに番組データを要求する要求信号を送信する機能と、この要求信号に基づいて番組サーバーから返信される番組データを受信する機能と、受信した番組データと記憶している放送開始予定時刻とを比較して放送開始予定時刻の変更の有無を判定する機能と、変更があった場合に番組特定情報とともに変更された放送開始予定時刻を録画装置へ送信する機能とを、実現させる点に特徴を有する。
【００１０】
第２の発明は、第１の発明を前提とし、携帯電話機の処理部に、変更された予約番組の放送開始予定時刻を記憶する機能と、現時刻から特定の予約番組の上記更新された放送開始予定時刻までの時間が予め設定した設定時間になったとき、上記予約番組の番組特定情報を基にして上記番組サーバーに番組データを要求する要求信号を送信する機能と、この要求信号に基づいて番組サーバーから返信される番組データを受信する機能と、受信した番組データと記憶している放送終了予定時刻とを比較して放送開始予定時刻の変更の有無を判定する機能と、変更があった場合に番組特定情報とともに変更された放送開始予定時刻を録画装置へ送信する機能とを、実現させる点に特徴を有する。
【００１１】
第３の発明は、上記第１または第２の発明を前提とし、携帯電話機の処理部に、現時刻から予約番組の放送終了予定時刻までの時間が予め設定した設定時間になったとき、上記予約番組の番組特定情報を基にして番組サーバーに番組データを要求する要求信号を送信する機能と、この要求信号に基づいて上記番組サーバーから返信される番組データを受信する機能と、受信した番組データと記憶している番組データとを比較して放送終了予定時刻の変更の有無を判定する機能と、変更があった場合に番組特定情報とともに変更された放送終了予定時刻を録画装置へ送信する機能とを実現させる点に特徴を有する。
【００１２】
第４の発明は、上記第１〜第３の発明を前提とし、携帯電話機の処理部に、変更された予約番組の放送終了予定時刻を記憶する機能と、現時刻から特定の予約番組の上記更新された放送終了予定時刻までの時間が予め設定した設定時間になったとき、上記予約番組の番組特定情報を基にして上記番組サーバーに番組データを要求する要求信号を送信する機能と、この要求信号に基づいて番組サーバーから返信される番組データを受信する機能と、受信した番組データと記憶している番組データとを比較して放送終了予定時刻の変更の有無を判定する機能と、変更があった場合に番組特定情報とともに変更された放送開始予定時刻を録画装置へ送信する機能とを、実現させる点に特徴を有する。
【００１３】
第５の発明は、上記第１〜第４の発明を前提とし、携帯電話機の処理部に、番組サーバーへ番組データを要求する番組要求信号とともに時刻データを要求する時刻要求信号を送信する機能と、上記時刻要求信号に基づいて番組サーバーから送信された時刻データを受信する機能と、受信した時刻データに基づいて自身の時計を調整する機能と、録画装置へ予約番組の番組データを送信する際に、時刻データを送信する機能とを、実現させる転移特徴を有する。
【００１４】
第６の発明の録画予約システムは、上記第１〜第５の発明の録画予約プログラムを記憶した携帯電話機と、この携帯電話機との間で通信可能であって、番組の番組特定情報に対応させた放送開始予定時刻および放送終了予定時刻を含む番組データを記憶した番組サーバーと、上記携帯電話機と通信可能な録画装置とを備え、上記番組サーバーは、携帯電話機からの番組要求信号を受信し、その要求信号に対応する番組データを上記携帯電話機に返信する機能を備え、上記録画装置は、携帯電話機から送信された番組情報を受信する機能と、受信した同一の番組特定情報に対応するする放送開始予定時刻のうち常に最新の番組データに基づいて録画予約情報を設定する機能と、設定した録画予約情報に基づいて番組の録画を行う機能とを備えた点に特徴を有する。
【発明の効果】
【００１５】
第１〜第６の発明によれば、一旦、携帯電話機を利用して録画予約をした番組の放送開始予定時刻が変更になった時にも、ユーザーの手間を掛けないで、変更された開始時刻に対応することができる。従って、ユーザーのミスによって、必要な録画をし損なうこともなくなる。
また、上記第１〜第６の発明における携帯電話機の処理部は、番組サーバーや、録画装置にに接続するタイミングが限られているので、録画設定のためにかかる携帯電話機の通信費用を低く抑えることができるとともに、録画予約プログラムが起動している最中でも、番組データの取得などのために通信を行っている時間が短いので、その通信が、電話としての通信機能のじゃまになることが少ない。
【００１６】
特に、第２の発明によれば、放送開始予定時刻が、繰り返し変更された場合にも、対応できる。
第３、第４の発明によれば、一旦、録画予約をした番組の放送終了時刻が変更になったときにも、ユーザーの手間を掛けないで、変更された放送終了予定時刻に対応することができる。従って、ユーザーのミスによって、録画をし損なうこともなくなる。
特に、第４の発明では、放送終了予定時刻が、繰り返し変更された場合にも、対応できる。
また、上記第２、第４の発明のように、処理部が番組サーバーへくりかえり番組データを要求するタイミングも、放送開始予定時刻や放送終了予定時刻を基準にして決めているので、やたらに通信するわけではない。従って、録画予約プログラムの起動が、電話通信のじゃまになることを防止できるとともに、通信費用を低く抑えることができる。
【００１７】
第５の発明によれば、携帯電話機の処理部と、番組サーバーと、録画装置の時刻を一致させることができる。従って、携帯電話機は、正確なタイミングで、番組サーバーへ番組データを要求して、変更を確認することができるとともに、録画装置でも、番組データに基づいて設定した録画予約が正確に実行されるようになる。
【００１８】
第６の発明によれば、一旦、録画予約を行った番組の、放送開始時刻や、終了時刻が変更になっても、携帯電話機の処理部が、それらに自動的に対応することができる。そのため、ユーザーが、手間を掛ける必要がないし、ユーザーのミスによって、録画をし損なうこともなくなる。
【発明を実施するための最良の形態】
【００１９】
図１，図２に、この発明の録画予約プログラムを備えた携帯電話機１を利用する録画システムの実施例を示す。
図１に示すシステムは、携帯電話機１と、この携帯電話とインターネットなどの通信ネットＮを介して通信可能な番組サーバー２と、家庭に設置した録画装置３と、放送局６とを備えている。
【００２０】
携帯電話機１は、数字キーや、選択キーなどの操作キーからなる操作部４と、操作部４を介して入力された信号や通信によって入力されたデータを処理する処理部５とを備えている。この処理部５は、後で詳細に説明するが、この発明の録画予約プログラムを備えていて、この録画予約プログラムによって、録画装置３に特定の番組の録画予約を設定することができる。
また、上記処理部５は、時計機能を備えていて、時刻を特定する機能を備えている。
【００２１】
さらに、携帯電話機１は、電話機としての通話機能や、通信ネットＮを介して、上記番組サーバー２や録画装置３にアクセスする機能を備えている。
また、上記番組サーバー２は、放送番組の番組表に対応した番組データを記憶していて、そのデータを携帯電話機１に対して提供するサーバーである。この番組サーバー２には、放送局６から決められたタイミングあるいは、放送時間の変更が生じる毎に、放送予定の番組データが送信されるようにしている。
【００２２】
一方、録画装置３は、家庭に設置された装置で、放送電波を受信する機能と、それを録画する機能と、録画したデータをテレビなどの表示装置に出力する機能とを備えている。さらに、携帯電話機１から入力されるデータに基づいて、番組録画の予約設定を行う機能も備えている。
なお、上記録画装置３は、携帯電話機１を用いなくても、直接データを手入力することによっても、放送番組の録画予約を行うことができるものであってもよい。
【００２３】
以下に、この実施例のシステムにおいて携帯電話機１から録画装置３に録画予約を行う手順を図２のフローチャートに従って説明する。そして、このフローチャートの各処理ステップは、上記携帯電話機１の処理部５の機能であり、処理部５には、このような機能を実現するため、この発明の録画予約プログラムがインストールされている。この録画予約プログラムは、予め携帯電話機１の処理部５にインストールしておくようしてもよいし、図示しないプログラム提供サーバから、通信ネットＮを介してダウンロードするようにしてもよい。
【００２４】
図２のステップＳ１で、携帯電話機１のユーザーは、上記録画予約プログラムを立ち上げる。このプログラムは、一旦立ち上げると、ユーザーが故意に終了させなければ、以下に説明する全ての処理が終了するまで、機能している。
ステップＳ２で、処理部５は、番組サーバー２にアクセスして番組データ要求信号を出力する。このステップＳ２は、処理部５の録画予約プログラムによって自動的に行われるようにしてもよいし、ユーザーが特定のキーを操作するなど、ユーザーからの信号入力に基づいて行われるようにしてもかまわない。このようにユーザーが信号入力する際には、特定のチャンネルや日付などを指定して、そのチャンネルや日付に限った番組データだけを要求することもできる。また、番組の出演者などで、番組データを選択できるようにしてもよい。
【００２５】
上記番組データの要求信号を受信した番組サーバー２では、これから放送予定の複数の番組に関する複数の番組データを送信する。処理部５は、ステップＳ３で、番組サーバー２から番組データを受信してそれを表示する。番組データは、番組ごとに、そのものを特定するための番組特定情報と、放送開始予定時刻および放送終了予定時刻のデータとがセットになったものである。そのほか、上記番組データには、その番組の出演者の情報などを含んでもよい。そして、処理部５は、上記のような番組データを、自身にインストールされた録画予約プログラムによって、携帯電話機１のディスプレイに番組表として表示させることができる。
【００２６】
上記番組特定情報は、放送日時、チャンネル、番組名や、それらの組み合わせなど、番組を特定できればどのようなデータでもかまわない。そして、これらの番組毎の番組特定情報、放送開始予定時刻および放送終了予定時刻のセットが個々の番組データであり、これらが複数集まって番組表を形成したものも、上記ステップＳ３で、番組サーバー２から受信した番組データである。
【００２７】
なお、個々の番組に対応する、日付、チャンネル、放送開始予定時刻、放送時間を、コード化したいわゆるＧコードを、そのまま番組データとして用いることもできる。
また、番組データに、放送終了予定時刻の代わりに、放送時間を含み、放送開始予定時刻と放送時間とを用いて、処理部５が、放送終了予定時刻を特定するようにしてもかまわない。
【００２８】
上記ステップＳ３で、携帯電話機１に番組表が表示されるので、ユーザーは、録画予約したい番組を、操作部４を介して選択する。処理部５は、ステップＳ４で、上記操作部４から入力された番組選択信号を受信する。
ステップＳ５で、処理部５は、受信した選択信号に対応する番組を予約番組として特定して、対応する番組特定情報を記憶する。さらに、ステップＳ６で、処理部５は、予約番組の開始予定時刻と終了予定時刻とを記憶する。上記ステップＳ５、Ｓ６で、処理部５は、予約番組の番組データを記憶することになる。この実施例では、予約番組に関する番組データをそのまま記憶しているが、番組データに、例えば、出演者やジャンルなど、録画予約に関係のないデータが含まれていた場合には、それらのデータは記憶しないで、録画予約に必要なデータだけを記憶するようにしてもよい。
【００２９】
ステップＳ７で、上記予約番組の番組特定情報、放送開始予定時刻および放送終了予定時刻を録画装置３に対して送信する。録画装置３側では、受信したデータに基づいて録画予約を設定する。
携帯電話機１の処理部５は、ステップＳ８で、上記ステップＳ７で記憶した予約番組の放送開始予定時刻までの時間が予め設定したＴ１以内かどうかを判断する。例えば、Ｔ１を１０分間と設定した場合、放送開始予定時刻１０分前になったら、ステップＳ９へ進み、１０分よりも間がある場合には、ステップＳ８に戻る。
【００３０】
ステップＳ９で、処理部５は、番組サーバー２に、上記予約番組の番組特定情報を指定して番組データを要求する。番組サーバー２は、処理部５からの要求信号に応じて、番組データを送信する。ステップＳ１０で、処理部５は、番組サーバー２から番組データを受信する。
そして、ステップＳ１１で、処理部５は、ステップＳ１０で受信した番組データと自身が記憶している予約番組の番組データとを比較し、放送開始予定時刻が変更になっているか否かを判断する。放送開始予定時刻に変更があった場合には、ステップＳ１３へ進み、変更がなかった場合には、ステップＳ１５へ進む。
【００３１】
予約番組の放送開始予定時刻に変更があった場合に、ステップＳ１３に進み、処理部５は、変更された放送開始予定時刻と終了予定時刻とを記憶し、ステップＳ１４で、変更された放送開始予定時刻と終了予定時刻とを録画装置３へ送信する。なお、ステップＳ１４では、処理部５は、上記放送開始予定時刻と終了予定時刻とともに、予約番組の番組特定情報も、録画装置３へ送信するようにする。
このとき、録画装置３は、受信した番組特定情報に対応する録画予約を、更新された放送開始予定時刻と終了予定時刻に変更して再設定する。
【００３２】
上記のように、放送開始予定時刻に変更があった場合にも、処理部５が自動的に、開始予定時刻の変更を確認して、新たな時刻での録画予約を録画装置３へ設定することができる。このように、上記ステップＳ１４で放送開始予定時刻の変更後の録画予約を設定してから、ステップＳ８に戻り、更新後の放送開始予定時刻についても、同様の確認を行う。つまり、新しい開始予定時刻に時間Ｔ１以内に近づいた時点で、番組データを要求して（ステップＳ９）変更を確認する。
【００３３】
そして、開始予定時刻の時間Ｔ１以内であっても、開始予定時刻が変更になっていない場合に、初めて、ステップＳ１２からステップＳ１５へ進む。そして、録画装置３は、予定時刻に録画を開始する。
なお、番組の放送開始時刻や終了時刻が変更になる場合には、予め、更新された番組データが放送局６から、番組サーバーへ送信されるようにしていることを前提としている。そして、放送開始時刻の変更単位が予め決められている場合には、上記時間Ｔ１を、その変更単位より短い時間に設定するようにすれば、変更を確認し損なうことはない。
【００３４】
例えば、番組の開始時刻の変更単位が１５分の場合、上記時間Ｔ１を１５分未満である１０分に設定しておけば、初めの予定時刻より１０分前に、開始予定時刻が変更されていなければ、通常は、予定通りに放送が開始する。
あるいは、時間Ｔ１を負の値に設定して、例えば、−３０秒として、開始予定時刻の３０秒後に予定時刻が変更になっていないことを確認するようにしてもよい。このように負の設定時間Ｔ１を用いる場合には、予定変更がなければ、実際に放送が開始してから番組データを確認することになるが、このとき確認した３０秒前の放送開始時刻も、この発明の放送開始予定時刻に含むものとする。
【００３５】
また、ステップＳ１５以下のステップで、処理部５は、放送終了時刻の変更を確認する。
上記ステップＳ１からステップＳ１４までの処理で、開始予定時刻に変更があった場合には、それにともなって更新された放送終了予定時刻にも対応しているが、さらに、終了時刻が変更される場合もあるし、開始予定時刻の変更が無くても、放送終了予定時刻だけが変更になる場合もある。例えば、録画対象が、野球中継のように延長がある番組の場合である。
【００３６】
そこで、処理部５は、自身が記憶している予約番組の放送終了予定時刻までの時間が、予め設定した時間Ｔ２以内になるまでの間、ステップＳ１５を繰り返し、上記終了予定時刻までの時間が時間Ｔ２以内になった時点で、ステップＳ１６へ進む。
ステップＳ１６で、処理部５は、上記予約番組に関する番組データを、番組サーバーへ要求するための要求信号を出力する。この要求信号に基づいて、番組サーバー２からは、上記特定の予約番組に対応する番組データが送信される。
【００３７】
ステップＳ１７で、処理部５は、上記番組データを受信し、ステップＳ１８で、受信した番組データと、自身が記憶している番組データとを対比する。
そして、ステップＳ１９で、放送終了予定時刻に変更があるかどうかを判断し、変更がなければ、ステップＳ２２へ進み、処理部５の処理は終了し、ステップＳ１９で、放送終了予定時刻に変更があった場合には、ステップＳ２０へ進む。
【００３８】
ステップＳ２０では、処理部５が、変更後の終了予定時刻を記憶し、ステップＳ２１へ進み、変更された放送終了予定時刻を処理部５から録画装置３へ送信する。このとき、図２には示していないが、処理部５は、上記放送終了時刻に対応する予約番組の番組特定情報も一緒に送信する。このデータを受信した、録画装置３は、変更された放送終了時刻に基づいて、録画の終了時刻を変更する。
さらに、ステップＳ２１からステップＳ１５へ戻り、新たな終了予定時刻についても、再度変更がないかを確認する（ステップＳ１５〜Ｓ１９）。そして、ステップＳ１９で、終了予定時刻に変更がないと判断するまでは、上記ステップＳ１５→ステップＳ２１→ステップＳ１５を繰り返す。
【００３９】
そして、ステップＳ１９で、終了予定時刻に変更がないと判断したら、ステップＳ２２へ進み、処理を終了する。ただし、以上ステップＳ１〜Ｓ２２の処理の流れは、ひとつの予約番組に関して処理部５が行う処理である。複数の番組を録画予約する場合には、それぞれに付いて同様の処理を行い、全ての番組の録画終了時刻に変更がないことを確認するまでは、処理部５の録画予約プログラムの処理は終了しない。
なお、上記設定時間Ｔ２も、番組の延長時間の単位、すなわち、終了時刻の変更単位よりも、短い時間に設定するようにすれば、最小限の確認回数で、変更を見損なうことを防止できる。
【００４０】
以上のように、この実施例のシステムでは、この発明の録画プログラムを備えた携帯電話機１によって、処理部５が、自動的に番組データの変更を確認できる。そのため、ユーザーの手間を掛けないで、放送開始時刻や終了時刻の変更に対応することができるし、上記変更の確認漏れなどが発生しない。
また、放送開始予定時刻や終了予定時刻の変更を確認するために、番組サーバー２へアクセスするタイミングを、変更前の放送開始予定時刻や終了予定時刻を基準にして決めているので、やたらに、番組サーバー２へアクセスする必要がない。さらに、上記設定時間Ｔ１、Ｔ２を、番組の変更時間の単位以内に設置することによって、放送開始予定時刻や終了予定時刻の変更を確認するために、番組サーバー２にアクセスする回数を必要最低限にすることができる。従って、携帯電話機１の通信費用を低く抑えることができる。
【００４１】
なお、上記携帯電話機１の処理部５は、時計機能を備えているが、処理部５の録画予約プログラムは、番組サーバー２へ番組データを要求するタイミングで、時刻データを要求する信号を出力させ、返信された時刻データに基づいて自身の時計を調整する機能と、録画装置３へ番組予約のデータを送信する際に時刻データを送信する機能を実現させることもできる。これにより、処理部５の時計と録画装置３の時計とを常に正確に機能させることができるとともに、番組サーバー２と処理部５と録画装置３の時刻を一致させることができる。従って、携帯電話機１の処理部５は、正確なタイミングで放送開始予定時刻や終了予定時刻の変更を確認することができるとともに、録画装置３は、正確な時刻での録画ができる。
【００４２】
また、番組サーバー２には、番組データとは別に広告データを記憶しておき、携帯電話機１に送信することもできる。具体的には、番組サーバー２は、図２のステップＳ２で、携帯電話機１から番組データの要求信号が送信されてきたら、それに対して番組データを送信する際に、上記広告データの中から、ランダムあるいは予め決められた特定のルールに基づいて選択した広告データを選択して、それを送信すべき番組データに添付して送信するようにする。携帯電話機１には、番組予約をしようとすると必ず広告が表示されることになる。
【図面の簡単な説明】
【００４３】
【図１】この発明の実施例のシステムを示す図である。
【図２】実施例の処理部の処理手順を示したフローチャートである。
【符号の説明】
【００４４】
１        携帯電話機
２        番組サーバー
３        録画装置
４        操作部
５        処理部
Ｎ        通信ネット
【図１】
2005057557.tif 000003
【図２】
2005057557.tif 000004